(57)【要約】【課題】端末装置よりネットワーク経由で表示装置へ接続する場合に、複数の表示装置の中から所望の表示装置に簡単で確実に端末装置を接続する。【解決手段】表示装置１００は、この表示装置１００の固有情報を基に、端末装置２００においてこの表示装置１００を他の表示装置から視覚的に識別するための識別用視覚情報を決定し、その識別用視覚情報を表示する。表示装置１００は、端末装置２００がこの表示装置１００で決定された識別用視覚情報を取得可能な情報として、識別用共有情報を端末装置２００へ送信する。表示装置１００は、端末装置２００との接続が確定される前に、識別用視覚情報を表示すると共に、識別用共有情報を端末装置２００へ送信する。【選択図】図５
2012226737.tif 000002
【特許請求の範囲】
【請求項１】
ネットワークに接続され、端末装置から送信された画像データを受信して該画像データを画像化した受信画像を表示する表示装置であって、
予め設定された当該表示装置の固有情報を基に、前記端末装置において当該表示装置を他の表示装置から視覚的に識別するための識別用視覚情報を決定する視覚情報決定部と、
前記視覚情報決定部で決定された識別用視覚情報を表示する表示部と、
前記端末装置が前記視覚情報決定部で決定された識別用視覚情報を取得可能な情報として、識別用共有情報を前記端末装置へ送信する通信部とを備え、
前記端末装置との接続が確定される前に、前記表示部が前記識別用視覚情報を表示すると共に、前記通信部が前記識別用共有情報を前記端末装置へ送信することを特徴とする表示装置。
【請求項２】
前記識別用共有情報は、前記固有情報および前記識別用視覚情報の態様に関する情報の少なくとも一方を含むことを特徴とする請求項１記載の表示装置。
【請求項３】
前記視覚情報決定部は、当該表示装置が通信可能な他の表示装置の識別用視覚情報を調査する調査動作を行い、該調査動作で判明した前記他の表示装置の識別用視覚情報に基づいて、当該表示装置の識別用視覚情報を決定することを特徴とする請求項１記載の表示装置。
【請求項４】
前記視覚情報決定部は、前記調査動作で判明した他の表示装置の識別用視覚情報に重複しないように、当該表示装置の識別用視覚情報を決定することを特徴とする請求項３記載の表示装置。
【請求項５】
前記視覚情報決定部は、前記調査動作で判明した前記他の表示装置の識別用視覚情報に対して、当該表示装置の識別用視覚情報が予め定めた類似範囲に属さないように、当該表示装置の識別用視覚情報を決定することを特徴とする請求項３記載の表示装置。
【請求項６】
前記視覚情報決定部は、前記調査動作において、当該表示装置が通信可能な他の表示装置から、前記固有情報に対応する情報および前記他の表示装置の識別用視覚情報の態様に関する情報の少なくとも一方を含む情報を取得し、該取得した情報から前記他の表示装置の識別用視覚情報を判明させることを特徴とする請求項３記載の表示装置。
【請求項７】
前記視覚情報決定部は、前記固有情報を基に前記識別用視覚情報を決定する通常決定動作と、前記調査動作で判明した前記他の表示装置の識別用視覚情報から前記通常決定動作とは別の方法で識別用視覚情報を決定すると判定した場合に、前記通常決定動作とは異なる方法で識別用視覚情報を決定する臨時決定動作とを実行可能であることを特徴とする請求項３記載の表示装置。
【請求項８】
前記視覚情報決定部は、前記固有情報の一部を用いて前記識別用視覚情報を決定することを特徴とする請求項１記載の表示装置。
【請求項９】
前記視覚情報決定部は、前記固有情報のうち前記識別用視覚情報の決定に使用する箇所が異なれば、決定される識別用視覚情報が異なるものになるように構成されていることを特徴とする請求項１記載の表示装置。
【請求項１０】
前記固有情報としてＭＡＣアドレスを利用することを特徴とする請求項１記載の表示装置。
【請求項１１】
前記ネットワークは、無線ネットワークであることを特徴とする請求項１記載の表示装置。
【請求項１２】
前記識別用視覚情報は、前記固有情報を基に複数の色の中から決定された色が付されていることを特徴とする請求項１記載の表示装置。
【請求項１３】
前記識別用視覚情報は、前記固有情報を基に複数種類の中から決定された記号を含むことを特徴とする請求項１記載の表示装置。
【請求項１４】
前記識別用視覚情報は、前記固有情報を基に複数種類の中から決定された図形を含むことを特徴とする請求項１記載の表示装置。
【請求項１５】
前記識別用共有情報は、前記識別用視覚情報の態様に関する情報を含むＩＥＥＥ８０２．１１のＳＳＩＤであることを特徴とする請求項２記載の表示装置。
【請求項１６】
前記ＳＳＩＤは、当該表示装置の名称または設置場所の符号情報をさらに含むことを特徴とする請求項１５記載の表示装置。
【請求項１７】
前記識別用共有情報は、前記固有情報を含むＩＥＥＥ８０２．１１のＢＳＳＩＤであることを特徴とする請求項２記載の表示装置。
【請求項１８】
ネットワークに介して表示装置に接続され、前記表示装置に表示させる画像の基になる画像データを送信する端末装置であって、
前記表示装置から、該表示装置を他の表示装置と視覚的に識別するための識別用視覚情報を共有するための識別用共有情報を受信する通信部と、
前記識別用共有情報から、該識別用共有情報を送信した表示装置と同じ識別用視覚情報を取得する視覚情報取得部と、
前記視覚情報取得部において複数の表示装置に対して取得された前記識別用視覚情報を一覧表示する一覧表示部と、
前記一覧表示部の表示画像において、複数の表示装置の中からユーザーにより選択された表示装置と当該端末装置との接続を確定させる接続処理部とを備えていることを特徴とする端末装置。
【請求項１９】
画像データを送信する端末装置と、ネットワークを介して前記端末装置から送信された画像データを受信して該画像データを画像化した受信画像を表示する複数の表示装置とを有する表示装置接続支援システムであって、
前記表示装置は、予め設定された当該表示装置の固有情報を基に、前記端末装置において当該表示装置を他の表示装置から視覚的に識別するための識別用視覚情報を決定する視覚情報決定部と、前記視覚情報決定部で決定された識別用視覚情報を表示する表示部と、前記端末装置が前記視覚情報決定部で決定された識別用視覚情報を取得可能な情報として、識別用共有情報を前記端末装置へ送信する通信部とを備え、前記端末装置との接続が確定される前に、前記表示部が前記識別用視覚情報を表示すると共に、前記通信部が前記識別用共有情報を前記端末装置へ送信し、
前記端末装置は、前記表示装置の通信部から前記識別用共有情報を受信する通信部と、前記識別用共有情報から、該識別用共有情報を発信した表示装置と同じ識別用視覚情報を取得する視覚情報取得部と、前記視覚情報取得部において複数の表示装置に対して取得された識別用視覚情報を一覧表示する一覧表示部と、前記一覧表示部の表示画像において、複数の表示装置の中からユーザーにより選択された表示装置と当該端末装置との接続を確定させる接続処理部とを備えていることを特徴とする表示装置接続支援システム。
【発明の詳細な説明】
【技術分野】
【０００１】
本発明は、ＰＣ等の端末装置と同じネットワークに接続されて端末装置の画面を表示するモニター、プロジェクター等の表示装置に関し、特に、端末装置と確実に接続できる表示装置に関するものである。
【背景技術】
【０００２】
昨今のモニターやプロジェクターといった表示装置は、有線ＬＡＮや無線ＬＡＮ等のネットワークを介した表示情報の受信機能を備えている。
【０００３】
これらの表示装置をＰＣ等の端末装置から識別する方法として、表示装置のＭＡＣアドレスやサービス・セット・アイデンティファイアー（ＳＳＩＤ）等の識別情報を使用する方法がある。例えば、特許文献１の方法では、端末装置からプロジェクターへの表示画像の送信に先立って、通信可能なプロジェクターのＭＡＣアドレスが端末装置に表示される。そして、ユーザーがＭＡＣアドレスを見てプロジェクターを選択すると、プロジェクターの表示画面に、通信開始を示す視覚情報が表示され、端末装置からの表示画像の送信が開始される。
【先行技術文献】
【特許文献】
【０００４】
【特許文献１】特開２００４−６２４７７号公報
【発明の概要】
【発明が解決しようとする課題】
【０００５】
しかしながら、従来の表示装置では、表示装置の識別に用いる識別情報（ＭＡＣアドレス）が、人間にとっては分かりにくい英数字を比較的多く使用した文字情報であり、端末装置の画像を表示させたい所望の表示装置がどの識別子で表されているのかが分かりにくい。そのため、識別情報の読み間違いにより、異なる表示装置への誤接続が発生するおそれがあった。
【０００６】
それ故に、本発明の目的は、複数の表示装置の中から所望の表示装置に端末装置を簡単で確実に接続することにある。
【課題を解決するための手段】
【０００７】
前記従来の課題を解決するために、本発明の表示装置は、ネットワークに接続され、端末装置から送信された画像データを受信して画像データを画像化した受信画像を表示する表示装置であって、予め設定されたこの表示装置の固有情報を基に、端末装置においてこの表示装置を他の表示装置から視覚的に識別するための識別用視覚情報を決定する視覚情報決定部と、視覚情報決定部で決定された識別用視覚情報を表示する表示部と、端末装置が視覚情報決定部で決定された識別用視覚情報を取得可能な情報として、識別用共有情報を端末装置へ送信する通信部とを備え、端末装置との接続が確定される前に、表示部が識別用視覚情報を表示すると共に、通信部が識別用共有情報を端末装置へ送信する。
【０００８】
また、識別用共有情報は、固有情報および識別用視覚情報の態様に関する情報の少なくとも一方を含むものであってもよい。
【０００９】
また、視覚情報決定部は、この表示装置が通信可能な他の表示装置の識別用視覚情報を調査する調査動作を行い、調査動作で判明した他の表示装置の識別用視覚情報に基づいて、この表示装置の識別用視覚情報を決定してもよい。その場合に、視覚情報決定部は、調査動作で判明した他の表示装置の識別用視覚情報に重複しないように、この表示装置の識別用視覚情報を決定してもよい。また、視覚情報決定部は、調査動作で判明した他の表示装置の識別用視覚情報に対して、この表示装置の識別用視覚情報が予め定めた類似範囲に属さないように、この表示装置の識別用視覚情報を決定してもよい。また、視覚情報決定部は、調査動作において、この表示装置が通信可能な他の表示装置から、固有情報に対応する情報および他の表示装置の識別用視覚情報の態様に関する情報の少なくとも一方を含む情報を取得し、取得した情報から他の表示装置の識別用視覚情報を判明させてもよい。また、視覚情報決定部は、固有情報を基に識別用視覚情報を決定する通常決定動作と、調査動作で判明した他の表示装置の識別用視覚情報から通常決定動作とは別の方法で識別用視覚情報を決定すると判定した場合に、通常決定動作とは異なる方法で識別用視覚情報を決定する臨時決定動作とを実行可能に構成してもよい。
【００１０】
また、視覚情報決定部は、固有情報の一部を用いて識別用視覚情報を決定してもよい。また、視覚情報決定部は、固有情報のうち識別用視覚情報の決定に使用する箇所が異なれば、決定される識別用視覚情報が異なるものになるように構成されていてもよい。
【００１１】
また、固有情報としてＭＡＣアドレスを利用してもよいし、ネットワークが無線ネットワークであってもよい。
【００１２】
また、識別用視覚情報は、固有情報を基に複数の色の中から決定された色が付されていてもよいし、識別用視覚情報は、固有情報を基に複数種類の中から決定された記号を含んでいてもよいし、識別用視覚情報は、固有情報を基に複数種類の中から決定された図形を含んでいてもよい。
【００１３】
また、識別用共有情報は、識別用視覚情報の態様に関する情報を含むＩＥＥＥ８０２．１１のＳＳＩＤであってもよいし、ＳＳＩＤは、この表示装置の名称または設置場所の符号情報をさらに含んでいてもよい。また、識別用共有情報は、固有情報を含むＩＥＥＥ８０２．１１のＢＳＳＩＤであってもよい。
【００１４】
また、本発明の端末装置は、ネットワークに介して表示装置に接続され、前記表示装置に表示させる画像の基になる画像データを送信する端末装置であって、前記表示装置から、該表示装置を他の表示装置と視覚的に識別するための識別用視覚情報を共有するための識別用共有情報を受信する通信部と、前記識別用共有情報から、該識別用共有情報を送信した表示装置と同じ識別用視覚情報を取得する視覚情報取得部と、前記視覚情報取得部において前記複数の表示装置に対して取得された前記識別用視覚情報を一覧表示する一覧表示部と、前記一覧表示部の表示画像において、複数の表示装置の中からユーザーにより選択された表示装置と当該端末装置との接続を確定させる接続処理部とを備えている。
【００１５】
また、本発明の表示装置接続支援システムは、画像データを送信する端末装置と、ネットワークを介して前記端末装置から送信された画像データを受信して該画像データを画像化した受信画像を表示する複数の表示装置とを有する表示装置接続支援システムであって、前記表示装置は、予め設定された当該表示装置の固有情報を基に、前記端末装置において当該表示装置を他の表示装置から視覚的に識別するための識別用視覚情報を決定する視覚情報決定部と、前記視覚情報決定部で決定された識別用視覚情報を表示する表示部と、前記端末装置が前記視覚情報決定部で決定された識別用視覚情報を取得可能な情報として、識別用共有情報を前記端末装置へ送信する通信部とを備え、前記端末装置との接続が確定される前に、前記表示部が前記識別用視覚情報を表示すると共に、前記通信部が前記識別用共有情報を前記端末装置へ送信し、前記端末装置は、前記表示装置の通信部から前記識別用共有情報を受信する通信部と、前記識別用共有情報から、該識別用共有情報を発信した表示装置と同じ識別用視覚情報を取得する視覚情報取得部と、前記視覚情報取得部において複数の表示装置に対して取得された識別用視覚情報を一覧表示する一覧表示部と、前記一覧表示部の表示画像において、複数の表示装置の中からユーザーにより選択された表示装置と当該端末装置との接続を確定させる接続処理部とを備えている。
【発明の効果】
【００１６】
本発明の表示装置によれば、固有情報をそのまま使用せずに、固有情報を基に、誰もが直感的に識別できる識別用視覚情報を作成でき、その識別用視覚情報を見て直感的に接続したい所望の表示装置を選択することが可能である。そのため、端末装置を所望の表示装置に簡単で確実に接続することができる。そのため、異なる表示装置への誤接続による情報流出や、異なる端末装置からの誤接続による表示の中断をなくすことができる。
【図面の簡単な説明】
【００１７】
【図１】本発明の第１の実施形態における表示装置の構成図
【図２】本発明の第１の実施形態における端末装置の構成図
【図３】本発明の第１の実施形態における表示装置での識別用視覚情報の表示及び識別用ＳＳＩＤの送信の手順を示すフローチャート
【図４】本発明の第１の実施形態において端末装置と表示装置の接続を確定させる手順を示すフローチャート
【図５】本発明の第１の実施形態の表示装置接続支援システムにおいて、表示装置の投写画像と端末装置の表示画面を示す説明図
【図６】本発明の第２の実施形態における表示装置の構成図
【図７】本発明の第２の実施形態における端末装置の構成図
【図８】本発明の第２の実施形態における表示装置での識別用視覚情報の表示の手順を示すフローチャート
【図９】本発明の第２の実施形態において端末装置と表示装置の接続を確定させる手順を示すフローチャート
【発明を実施するための形態】
【００１８】
（第１の実施形態）
以下、本発明を実施するための第１の実施形態について、図面を参照しながら説明する。第１の実施形態は、端末装置２００と、ネットワーク（例えば、無線ＬＡＮネットワーク）を介して端末装置２００に接続される複数の表示装置１００とを有する表示装置接続支援システム１０００である。なお、端末装置２００と複数の表示装置１００とを接続するネットワークは、有線ＬＡＮネットワークであってもよい。
【００１９】
端末装置２００は、ユーザーの入力に応じて、その画面上の表示画像の操作（例えば、表示画像の切り替え、表示画像のスクロール）を行うことが可能である。端末装置２００は、例えばＰＣ（パーソナルコンピュータ）である。一方、表示装置１００は、端末装置２００から、その端末装置２００の画面上の表示画像の画像データを受信して、その画像データを画像化した受信画像を表示する。表示装置１００は、例えば、ネットワークに接続可能なネットワーク対応のプロジェクターである。表示装置１００は、受信画像を映す画面を備えたネットワーク対応のモニターであってもよい。なお、以下では、複数の受信装置の中から、端末装置２００の表示画像を表示させる表示装置１００が確定している状態を「接続確定状態」という。
【００２０】
図１は、第１の実施形態における表示装置１００の構成図である。表示装置１００は、ＲＯＭ部１０１と視覚情報決定部１０２とＳＳＩＤ生成部１０３と通信部１０４と表示画像生成部１０５と画像表示部１０６とを備えている。
【００２１】
ＲＯＭ部１０１は、当該表示装置１００の固有情報（機器固有情報）として、ＭＡＣアドレスや任意の値に対応して、色や記号の符号情報を定義したテーブル情報を格納する。この符号情報は、後述する識別用視覚情報の符号情報である。視覚情報決定部１０２は、固有情報を基に、一意の識別用視覚情報を決定する。ＳＳＩＤ生成部１０３は、視覚情報決定部１０２で決定された識別用視覚情報を基に、識別用ＳＳＩＤ（Ｓｅｒｖｉｃｅ  Ｓｅｔ  ＩＤｅｎｔｉｆｉｅｒ）を生成する。通信部１０４は、不特定多数の端末装置２００に対してＳＳＩＤ生成部１０３で生成された識別用ＳＳＩＤの発信を行うと共に、端末装置２００との接続通信（受信画像を表示するための通信）を行う。表示画像生成部１０５は、視覚情報決定部１０２で決定された識別用視覚情報の画像データを、画像表示部１０６に表示させる画像データとして生成する。画像表示部１０６は、表示画像生成部１０５で生成された画像データを基に、識別用視覚情報の画像を表示する。
【００２２】
具体的に、ＲＯＭ部１０１は、表示装置１００側のメモリ部である。ＲＯＭ部１０１は、固有情報に対して識別用視覚情報を符号化した符号情報を定義したテーブル情報を格納する。
【００２３】
ここで、固有情報は、例えば、ネットワーク上で当該表示装置１００を他のネットワーク接続機器と識別するために、表示装置１００に個々に設定された情報である。固有情報としては、ネットワーク上における表示装置１００のアドレスを表すアドレス情報が用いられる。第１の実施形態では、ＭＡＣアドレスが用いられる。固有情報は、桁数が複数の文字列である。固有情報としては、ＭＡＣアドレス以外に、任意の値（例えば、ユーザーが表示装置１００毎に設定した文字列）を用いてもよい。なお、固有情報は、端末装置２００との接続を確定させる前に予め設定されている。
【００２４】
視覚情報決定部１０２は、この表示装置１００の固有情報を基に、その固有情報に対して識別用視覚情報を決定する。識別用視覚情報は、当該表示装置１００を他の表示装置１００から視覚的に識別するための視覚情報であり、後述する画像表示部１０６により表示される。識別用視覚情報は、固有情報をそのまま表示する場合に比べてユーザーが容易に識別できる態様の視覚情報である。視覚情報決定部１０２は、ＲＯＭ部１０１から固有情報を取得すると、ＲＯＭ部１０１に格納されたテーブル情報から、取得した固有情報に一意に対応する識別用視覚情報を決定する。
【００２５】
識別用視覚情報は、図形、文字および記号などの主視覚情報と、その主視覚情報の色と、その主視覚情報の背景色との各々について、複数パターンの中から選択したものを組み合わせることにより構成されている。主視覚情報として図形を用いる場合は、図形が柄を含む図柄であってもよい。また、主視覚情報として文字を用いる場合は、固有情報より少ない桁数の文字列（例えば、１以上で４以下の桁数の文字列）を使用する。
【００２６】
テーブル情報には、主視覚情報を符号化した第１情報と、主視覚情報の色を符号化した第２情報、主視覚情報の背景色を符号化した第３情報とが、それぞれ複数パターン設定されている。視覚情報決定部１０２は、例えば、固有情報の特定の桁の値を用いて、複数パターンの中から、第１情報、第２情報および第３情報をそれぞれ決定する。第１情報、第２情報および第３情報は、例えば、固有情報において互いに異なる桁を用いて決定される。そして、視覚情報決定部１０２は、第１情報、第２情報および第３情報を組み合わせて、識別用視覚情報の符号情報を作成する。例えば、主視覚情報が星形の場合に第１情報は「Ｓｔａｒ」となり、主視覚情報の色が白色の場合に第２情報は「Ｗｈｉｔｅ」になり、主視覚情報の背景色が黒色（つまり、黒地）の場合に第３情報は「Ｂｌａｃｋ」となり、これらを組み合わせた識別用視覚情報の符号情報は、「Ｂｌａｃｋ＿Ｓｔａｒ＿Ｗｈｉｔｅ」となる。この場合、第３情報、第１情報、第２情報の順番で並べられている。
【００２７】
なお、視覚情報決定部１０２は、固有情報の一部の桁を用いて識別用視覚情報を決定してもよいし、固有情報の全ての桁を用いて識別用視覚情報を決定してもよい。また、視覚情報決定部１０２は、固有情報のうち識別用視覚情報の決定に使用する箇所が異なれば、決定される識別用視覚情報が異なるものになるように構成してもよい。
【００２８】
なお、識別用視覚情報は、主視覚情報と、その主視覚情報の色と、その主視覚情報の背景色との全てを用いずに、主視覚情報だけから構成してもよいし、主視覚情報とその主視覚情報の色（又は、背景色）との２つだけから構成してもよい。また、識別用視覚情報は、画面の色の情報のみにより構成されていてもよい。
【００２９】
ＳＳＩＤ生成部１０３は、視覚情報決定部１０２で決定された識別用視覚情報を基に、識別用ＳＳＩＤ（Ｓｅｒｖｉｃｅ  Ｓｅｔ  ＩＤｅｎｔｉｆｉｅｒ）を生成する。ＳＳＩＤ生成部１０３は、識別用共有情報として、識別用視覚情報の符号情報を含む識別用ＳＳＩＤを作成する共有情報作成部である。第１の実施形態では、識別用ＳＳＩＤが、識別用視覚情報の符号情報に加えて、ユーザーが設定した表示装置１００の名称を符号化した「設定名称」の符号情報を含む文字列である。ユーザーが表示装置１００に対して「Ｄｉｓｐｌａｙ２」という名称を設定した場合は、識別用ＳＳＩＤは、「Ｄｉｓｐｌａｙ２＿Ｂｌａｃｋ＿Ｓｔａｒ＿Ｗｈｉｔｅ」となる。なお、設定名称の符号情報の代わりに又は設定名称の符号情報に加えて、表示装置１００の設置場所の符号情報（例えば、「Ｒｏｏｍ１」）を使用してもよい。
【００３０】
通信部１０４は、この表示装置１００と同じネットワークに接続された端末装置２００及び表示装置１００と通信を行う。通信部１０４は、不特定多数の端末装置２００に対して、ＳＳＩＤ生成部１０３で生成された識別用ＳＳＩＤの発信を行うと共に、接続確定状態の端末装置２００から送信された画像データの受信を行う。
【００３１】
表示画像生成部１０５は、視覚情報決定部１０２で決定された識別用視覚情報の符号情報から、識別用視覚情報の画像データを生成する。画像表示部１０６は、表示画像生成部１０５から識別用視覚情報の画像データを受け取り、識別用視覚情報を表示する。画像表示部１０６は、例えば、識別用視覚情報を投写してスクリーンに表示する。表示画像生成部１０５及び画像表示部１０６は、視覚情報決定部１０２により決定された識別用視覚情報を表示する表示部に相当する。なお、画像表示部１０６は、受信画像を表示する箇所とは別に識別用視覚情報を表示してもよい。例えば、表示装置１００の外面に設けた液晶画面に、識別用視覚情報を表示してもよい。
【００３２】
図２は、第１の実施形態における端末装置２００の構成図である。端末装置２００は、通信部２０１とメモリ部２０２と視覚情報取得部２０３と表示画像生成部２０４と一覧表示部２０５と接続処理部２０６とを備えている。
【００３３】
通信部２０１は、表示装置１００より発信された識別用ＳＳＩＤの受信と、表示装置１００との接続通信を行う。メモリ部２０２は、通信部２０１が受信した識別用ＳＳＩＤと、表示画像生成部２０４で生成した画像データ等を格納する。視覚情報取得部２０３は、メモリ部２０２に格納された識別用ＳＳＩＤから、識別用視覚情報の符号情報を抽出する。表示画像生成部２０４は、視覚情報取得部２０３で抽出された識別用視覚情報の符号情報を基に、一覧表示部２０５で表示する識別用視覚情報の画像データを生成する。一覧表示部２０５は、表示装置１００毎に生成された画像データを基に、複数の表示装置１００の識別用視覚情報を一覧表示する。接続処理部２０６は、一覧表示部２０５に一覧表示された識別用視覚情報から所望の表示装置１００を表す項目の選択と、選択された表示装置１００との接続処理とを行う。
【００３４】
具体的に、通信部２０１は、この端末装置２００と同じネットワークに接続された表示装置１００と通信を行う。通信部２０１は、表示装置１００の通信部１０４から発信された識別用ＳＳＩＤを受信すると共に、接続確定状態において端末装置２００のモニターに表示された表示画像の画面データを、表示装置１００へ送信する。
【００３５】
メモリ部２０２は、通信部２０１が受信した識別用ＳＳＩＤと、表示画像生成部２０４で生成された画像データ等を格納する。通信部２０１が複数の表示装置１００から識別用ＳＳＩＤを受信している場合には、メモリ部２０２には、複数の表示装置１００に対して個々に識別用ＳＳＩＤが格納されている。
【００３６】
視覚情報取得部２０３は、メモリ部２０２に格納された識別用ＳＳＩＤから、識別用視覚情報の符号情報を抽出する。メモリ部２０２に複数の表示装置１００の識別用ＳＳＩＤが格納されている場合には、視覚情報取得部２０３は、表示装置１００毎に、識別用ＳＳＩＤから識別用視覚情報の符号情報を抽出する。
【００３７】
表示画像生成部２０４は、視覚情報取得部２０３で抽出された識別用視覚情報の符号情報を基に、一覧表示部２０５が表示する識別用視覚情報の画像データを生成する。この画像データは、識別用ＳＳＩＤを送信した表示装置１００毎に作成され、メモリ部２０２に格納される。
【００３８】
一覧表示部２０５は、表示画像生成部２０４が表示装置１００毎に生成した画像データを用いて、全ての表示装置１００の識別用視覚情報を一覧表示する。一覧表示部２０５は、識別用ＳＳＩＤを送信した全ての表示装置１００の識別用視覚情報の画像データをメモリ部２０２から取得し、取得した全ての識別用視覚情報を表示する。
【００３９】
接続処理部２０６は、一覧表示部２０５により一覧表示された複数の表示装置１００の識別用視覚情報を見ながら、端末装置２００の表示画像を表示させたい所望の表示装置１００をユーザーが選択するための入力部（例えば、キーボード）を有する。接続処理部２０６は、さらに、ユーザーが所望の表示装置１００を選択すると、選択された表示装置１００と端末装置２００の接続を確定させる処理を行う接続部を有する。
【００４０】
図３は、第１の実施形態における表示装置１００での識別用視覚情報の表示及び識別用ＳＳＩＤの送信の手順を示すフローチャートである。表示装置１００では、例えばユーザーによって電源が入力されると、ステップＳ３０１において、表示装置１００の固有情報であるＭＡＣアドレスを、ＲＯＭ部１０１より取得する。次に、ステップＳ３０２では、ＲＯＭ部１０１に格納されたテーブル情報を用いて、ステップＳ３０１で取得したＭＡＣアドレスを基に、表示装置１００を他の表示装置から識別するための識別用視覚情報を決定する。ステップＳ３０２以降は、ステップＳ３０３からステップＳ３０４へ続く処理と、ステップＳ３０５からステップＳ３０６へ続く処理とが独立して行われる。
【００４１】
ここで、識別用視覚情報の符号情報は、例えば白地に黒の星記号という情報を符号化したものである。色、記号共に種類には限りがある。そのため、他の表示装置と重複しない識別用視覚情報とするためには、識別用視覚情報は、色と記号を組み合わせることが望ましいが、色もしくは記号のみで識別用視覚情報を構成してもよい。使用する色は、表示装置１００の性能や使用環境に依存しないように、階調を少なくし容易に識別できる色を使用することが望ましいが、このような色の使用が困難な場合は、図柄を使用してもよい。記号も、容易に識別可能な形のものを使用する。
【００４２】
色、記号の種類が少なく、ステップ３０２を行う表示装置１００の近隣（表示装置１００が通信可能な範囲）に、他の表示装置が多数存在する場合は、識別用視覚情報が重複する恐れがある。この場合、視覚情報決定部１０２が、通信部１０４を利用して、無線通信可能な範囲の他の表示装置の識別用視覚情報を調べる調査動作を行う。視覚情報決定部１０２は、調査動作で判明した他の表示装置の識別用視覚情報に基づいて、この表示装置１００の識別用視覚情報を決定する。視覚情報決定部１０２は、調査動作において、この表示装置１００が通信可能な他の表示装置から、固有情報に対応する情報および他の表示装置の識別用視覚情報の態様に関する情報の少なくとも一方を含む調査用情報を取得し、調査用情報から他の表示装置の識別用視覚情報を判明させる。調査用情報は、識別用ＳＳＩＤでもよいし、ＭＡＣアドレスのような固有情報でもよい。
【００４３】
例えば、視覚情報決定部１０２は、調査動作で判明した他の表示装置の識別用視覚情報に重複しないように、表示装置１００の識別用視覚情報を決定してもよい。また、視覚情報決定部１０２は、調査動作で判明した他の表示装置の識別用視覚情報に対して、この表示装置１００の識別用視覚情報が予め定めた類似範囲に属さないように、識別用視覚情報を決定してもよい。例えば、他の表示装置の識別用視覚情報の色が赤色で、テーブル情報から決めたこの表示装置１００の識別用視覚情報の色が黄色の場合に、例えば、識別用視覚情報の色を青色に決定する。前記類似範囲には、ユーザーが誤認しやすい図形、記号、及び色の組み合わせが設定されている。
【００４４】
その場合に、視覚情報決定部１０２は、固有情報を基に識別用視覚情報を決定する通常決定動作と、調査動作で判明した他の表示装置の識別用視覚情報から通常決定動作とは別の方法で識別用視覚情報を決定すると判定した場合に、通常決定動作とは異なる方法で識別用視覚情報を決定する臨時決定動作とを実行可能に構成してもよい。例えば、ＲＯＭ部１０１に、同じ固有情報から互いに異なる識別用視覚情報が決定される複数のテーブル情報を格納して、通常決定動作と臨時決定動作とで使用するテーブル情報を異ならせてもよい。また、通常決定動作と臨時決定動作とで、識別用視覚情報の決定に使用する固有情報の桁を異ならせてもよい。
【００４５】
識別用視覚情報の決定方法としては、上述したように、ＲＯＭ部１０１に格納された、任意の値に対応する色や記号の符号情報（識別用視覚情報の符号情報）を定義したテーブル情報より、ＭＡＣアドレス値の剰余の値に対応する色、記号の符号情報を取得するといった方法で実現できる。
【００４６】
ステップＳ３０３では、ステップＳ３０２で取得した識別用視覚情報の符号情報を用いて、表示装置１００の全画面、または画面の一部、もしくはオンスクリーンディスプレイ形式等で表示する識別用視覚情報の画像データを生成する。ステップＳ３０４では、ステップ３０３で生成した画像データを用いて、識別用視覚情報を実際に表示する。
【００４７】
また、ステップＳ３０５では、識別用視覚情報の符号情報を基に、不特定多数の端末装置２００に発信する識別用ＳＳＩＤを生成する。この識別用ＳＳＩＤは、白地に黒の星記号を表示したい場合には、識別用視覚情報に対応する表示装置１００自体の識別子（例えば、設定名称）と、識別用視覚情報を組み合わせた「Ｄｉｓｐｌａｙ２＿Ｂｌａｃｋ＿Ｓｔａｒ＿Ｗｈｉｔｅ」等の文字列となる。ステップＳ３０６では、ステップＳ３０５で生成した識別用ＳＳＩＤを通信部１０４より発信する。
【００４８】
図４は、第１の実施形態における端末装置２００と表示装置１００の接続を確定させる手順を示すフローチャートである。ＰＣ等の端末装置２００においては、専用のアプリケーションソフトウェアが起動しており、以下の手順を行う。
【００４９】
まず、ステップＳ４０１では、複数の表示装置１００より発信された識別用ＳＳＩＤを通信部２０１にて受信し、受信した識別用ＳＳＩＤをメモリ部２０２に格納（退避）する。ステップＳ４０１では、識別用ＳＳＩＤ以外のＳＳＩＤも通信部２０１が受信すると、そのＳＳＩＤがメモリ部２０２に格納される。
【００５０】
ステップＳ４０２では、後述するステップＳ４０３で選択されていない未処理のＳＳＩＤが存在するか否かが判定される。ステップＳ４０２で、未処理のＳＳＩＤが存在すると判定された場合はステップＳ４０３で、メモリ部２０２に格納したＳＳＩＤの内の１つを選択する。第１の実施形態では、通信部２０１が受信したＳＳＩＤを一度メモリ部２０２に格納する例を示している。しかし、通信部２０１がＳＳＩＤを受信する毎に、ＳＳＩＤの処理（例えば、Ｓ４０３からＳ４０７までの処理）を行う方法でもよい。
【００５１】
ステップＳ４０４では、ステップＳ４０３で選択したＳＳＩＤが識別用視覚情報の符号情報を含むかどうかを判定する。つまり、選択したＳＳＩＤが識別用ＳＳＩＤであるか否かを判定する。ステップＳ４０４で識別用視覚情報を含むと判定された場合は、ステップＳ４０５で、識別用ＳＳＩＤから、識別用視覚情報の符号情報を抽出する。第１の実施形態では、設定名称の符号情報も抽出される。一方、ステップＳ４０４で識別用視覚情報を含まないと判定された場合は、ステップＳ４０２に戻って、他に未処理のＳＳＩＤが存在するか否かを判定する。ステップＳ４０２で、未処理のＳＳＩＤが存在する場合には、ステップＳ４０３に移行し、未処理のＳＳＩＤが存在しない場合にはステップＳ４０９へ移行する。
【００５２】
ステップＳ４０６では、ステップＳ４０５で抽出した識別用視覚情報の符号情報から識別用視覚情報の画像データ（表示画像）を生成する。続いて、ステップＳ４０７では、ステップＳ４０６で生成した画像データを画像化した識別用視覚情報を一覧表示する。なお、一覧表示部２０５が他の表示装置の識別用視覚情報を既に表示している場合は、ステップＳ４０６で生成された画像データを画像化した識別用視覚情報が一覧表に追加される。また、一覧表示部２０５が他の表示装置の識別用視覚情報をまだ表示していない場合は、ステップＳ４０６で生成された画像データのみを画像化した１つの識別用視覚情報が表示される。また、ステップＳ４０８では、全てのＳＳＩＤに対して、ステップＳ４０３の処理を実施したかどうかを判定し、他に未処理のＳＳＩＤがある場合には、ステップＳ４０３に戻る。
【００５３】
図５は、表示装置１００と端末装置２００の表示画面を示す説明図である。図５に示すように、３台の表示装置５０２，５０４，５０６は、それぞれ識別用視覚情報の画像５０１，５０３，５０５を表示している。一方、図５に示すように、端末装置５０７は、識別用視覚情報の一覧を表示している。第１の実施形態では、識別用視覚情報に対応付けて、表示装置の名称が表示されている。この表示装置の名称は、設定名称の符号情報を基に画像データが作成されている。ユーザーが表示装置５０４に接続したい場合に、ステップＳ４０９で、端末装置５０７に表示された識別用視覚情報の画像の一覧より、表示装置５０４に対応する識別用視覚情報（白地に黒の星記号）が存在する項目５０８をユーザーが選択すると、端末装置５０７と表示装置５０４との接続を確定させる接続処理を行う。接続処理の完了後、端末装置５０７の画面データが表示装置５０４に送信され、表示装置５０４では、画像データを画像化した受信画像が表示される。なお、図５では全ての表示装置５０２，５０４，５０６の電源がＯＮになっている場合を示しているが、電源のＯＦＦの表示装置が存在する場合は、電源ＯＦＦの電源装置では識別用視覚情報は表示されない。
【００５４】
（実施の形態２）
次に本発明の第２の実施の形態について説明する。
【００５５】
図６は、第２の実施形態における表示装置６００の構成図である。表示装置６００は、ＲＯＭ部６０１と視覚情報決定部６０２と通信部６０３と表示画像生成部６０４と画像表示部６０５とを備えている。
【００５６】
図６において、ＲＯＭ部６０１は、当該表示装置６００の固有情報（機器固有情報）であるＭＡＣアドレスや任意の値に対応して、色や記号の符号情報（識別用視覚情報の符号情報）を定義したテーブル情報を格納する。視覚情報決定部６０２は、固有情報を基に、一意の識別用視覚情報を決定する。通信部６０３は、不特定多数の端末装置７００に対してベーシック・サービス・アイデンティファイアー(ＢＳＳＩＤ)の発信を行うと共に、端末装置７００との接続通信を行う。表示画像生成部６０４は、視覚情報決定部６０２で決定された識別用視覚情報の画像データを、画像表示部６０５に表示させる画像データとして生成する。画像表示部６０５は、表示画像生成部６０４で生成された画像データを基に、識別用視覚情報の画像を表示する。第２の実施形態では、識別用共有情報として、識別用ＳＳＩＤではなく、固有情報を含むＢＳＳＩＤが使用される。
【００５７】
図７は、第２の実施形態における端末装置７００の構成図である。端末装置７００は、通信部７０１とメモリ部７０２と視覚情報取得部７０３とＲＯＭ部７０４と表示画像生成部７０５と一覧表示部７０６と接続処理部７０７とを備えている。
【００５８】
通信部７０１は、表示装置６００より発信されるＢＳＳＩＤの受信と、表示装置６００との接続通信を行う。メモリ部７０２は、通信部７０１が受信したＢＳＳＩＤと、表示画像生成部７０５で生成した画像データ等を格納（退避）する。視覚情報取得部７０３は、ＲＯＭ部７０４に格納されたテーブル情報を用いて、メモリ部７０２に格納されたＢＳＳＩＤの固有情報を基に、識別用視覚情報の符号情報を取得する。ＲＯＭ部７０４は、任意の値に対応して、色や記号の符号情報（識別用視覚情報の符号情報）を定義したテーブル情報を格納する。ＲＯＭ部７０４は、表示装置６００のＲＯＭ部６０１と同じテーブル情報を格納する。視覚情報取得部７０３では、表示装置６００と同じ固有情報およびテーブル情報を用いて識別用視覚情報の符号情報を取得するので、取得された識別用視覚情報の符号情報は、表示装置６００と同じものになる。表示画像生成部７０５は、視覚情報取得部７０３で取得された識別用視覚情報の符号情報を基に、一覧表示部７０６で表示する識別用視覚情報の画像データを生成する。一覧表示部７０６は、表示装置６００毎に生成された画像データの表示画像を一覧表示する。接続処理部７０７は、一覧表示部７０６に一覧表示された表示画像から所望の表示装置６００を表す項目の選択と、選択された表示装置６００との接続処理とを行う。
【００５９】
図８は、第２の実施形態における表示装置６００での識別用視覚情報の表示の手順を示すフローチャートである。表示装置６００では、例えばユーザーにより電源が入力されると、ステップＳ８０１において、表示装置６００の固有情報であるＭＡＣアドレスをＲＯＭ部６０１より取得する。次に、ステップＳ８０２では、ＲＯＭ部６０１に格納されたテーブル情報を用いて、ステップＳ８０１で取得したＭＡＣアドレスを基に、表示装置６００を他の表示装置から識別するための識別用視覚情報の符号情報を決定する。識別用視覚情報の決定方法については第１の実施形態と同様である。ステップＳ８０３では、ステップＳ８０２で決定した識別用視覚情報の符号情報を用いて、表示装置６００の全画面、または画面の一部、もしくはオンスクリーンディスプレイ形式等で表示する識別用視覚情報の画像データを生成する。ステップＳ８０４では、ステップＳ８０３で生成した画像データを用いて、識別用視覚情報を実際に表示する。
【００６０】
図９は、第２の実施形態における端末装置７００と表示装置６００の接続を確定させる手順を示すフローチャートである。ＰＣ等の端末装置７００においては、専用のアプリケーションソフトウェアが起動しており、以下の手順を行う。
【００６１】
まず、ステップＳ９０１では、複数の表示装置６００より発信されたＢＳＳＩＤを通信部７０１にて受信し、受信したＢＳＳＩＤをメモリ部７０２に格納（退避）する。このＢＳＳＩＤは、発信した表示装置６００（機器）のＭＡＣアドレスと同じ値である。ステップ９０２では、後述するステップＳ９０３で選択されていない未処理のＢＳＳＩＤが存在するか否かが判定される。ステップＳ９０２で、未処理のＢＳＳＩＤが存在すると判定された場合はステップＳ９０３へ移行する。ステップＳ９０３では、メモリ部７０２に格納したＢＳＳＩＤの内の１つを選択する。第２の実施形態では、受信したＢＳＳＩＤを一度メモリ部７０２に格納する例を示している。しかし、通信部７０１がＢＳＳＩＤを受信する毎に、ＢＳＳＩＤの処理（例えば、Ｓ９０３からＳ９０７までの処理）を行う方法でもよい。
【００６２】
ステップＳ９０４では、ステップＳ９０３で選択したＢＳＳＩＤが、識別用視覚情報の表示に対応する表示装置６００（端末装置７００と同じテーブル情報を有する表示装置であり、以下「対応表示装置」という。）のＢＳＳＩＤかどうかを判定する。対応表示装置６００であるかどうかの判定方法としては、ＢＳＳＩＤのベンダーＩＤや機種ＩＤから判別する方法や、ＢＳＳＩＤと同時に発信するＳＳＩＤに、対応表示装置６００であることを表す符号（例えば、名前）を付与する方法等が用いられる。ステップＳ９０４で、対応表示装置６００であると判定された場合は、ステップＳ９０５で、ＲＯＭ部７０４に格納されたテーブル情報を用いて、選択したＢＳＳＩＤの固有情報（ＭＡＣアドレス）を基に、表示装置６００を他の表示装置から識別するための識別用視覚情報の符号情報を取得する。一方、ステップＳ９０４で対応表示装置６００ではないと判定された場合は、ステップＳ９０２に戻って、他に未処理のＢＳＳＩＤが存在するか否かを判定する。識別用視覚情報の取得方法は、第１の実施形態で記載した固有情報から識別用視覚情報を決定する方法と同じである。ステップＳ９０２で、未処理のＢＳＳＩＤが存在する場合にはステップＳ９０３に移行し、未処理のＢＳＳＩＤが存在しない場合にはステップＳ９０９へ移行する。
【００６３】
ステップＳ９０６では、ステップＳ９０５で取得した識別用視覚情報の符号情報から、識別用視覚情報の画像データ（表示画像）を生成する。続いて、ステップＳ９０７では、ステップＳ９０６で生成した画像データを画像化した識別用視覚情報を一覧表示する。ステップＳ９０８では、全てのＢＳＳＩＤに対して、ステップＳ９０３の処理を実施したかどうかを判定し、他に未処理のＢＳＳＩＤがある場合には、ステップＳ９０３に戻る。
【００６４】
例えば、図５では、３台の表示装置５０２，５０４，５０６がそれぞれ表示画像５０１，５０３，５０５を表示している。一方、図５に示すように、端末装置５０７は、別用視覚情報の一覧を表示している。ユーザーが表示装置５０４に接続したい場合に、ステップＳ９０９で、端末装置５０７に表示された表示画像の一覧より、表示装置５０４に対応する識別用視覚情報（白地に黒の星記号）が存在する項目５０８をユーザーが選択すると、端末装置５０７と表示装置５０４との接続を確定させる接続処理が行われる。接続処理の完了後、端末装置５０７の画面データが表示装置５０４に送信され、表示装置５０４では、画像データを画像化した受信画像が表示される。
【００６５】
《その他の実施の形態》
上記実施形態について、表示装置１００，６００において識別用視覚情報の作成及び表示等を行うフローチャートの処理が、表示装置１００，６００の起動をトリガーとするのではなく、表示装置１００，６００がスタンバイ状態のときに、ユーザーから受信画像の表示開始の指示を受けたことをトリガーとしてもよい。また、端末装置２００が送信する信号をトリガーとしてもよい。
【００６６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることはいうまでもない。
【産業上の利用可能性】
【００６７】
本発明は、ネットワークを経由して表示データを受信するネットワーク対応の表示装置の誤接続の解消に対して有効である。
【符号の説明】
【００６８】
１００  表示装置
１０１  ＲＯＭ部
１０２  視覚情報決定部
１０３  ＳＳＩＤ生成部
１０４  通信部
１０５  表示画像生成部
１０６  画像表示部
２００  端末装置
２０１  通信部
２０２  メモリ部
２０３  視覚情報取得部
２０４  表示画像生成部
２０５  一覧表示部
２０６  接続処理部
６０１  ＲＯＭ部
６０２  視覚情報決定部
６０３  通信部
６０４  表示画像生成部
６０５  画像表示部
７０１  通信部
７０２  メモリ部
７０３  視覚情報取得部
７０４  ＲＯＭ部
７０５  表示画像生成部
７０６  一覧表示部
７０７  接続処理部
１０００  表示装置接続支援システム
【図１】
2012226737.tif 000003
【図２】
2012226737.tif 000004
【図３】
2012226737.tif 000005
【図４】
2012226737.tif 000006
【図５】
2012226737.tif 000007
【図６】
2012226737.tif 000008
【図７】
2012226737.tif 000009
【図８】
2012226737.tif 000010
【図９】
2012226737.tif 000011